(57)【要約】【課題】この発明は、作業者がリジェクトポケットに集積されている紙葉類をチェックする必要がなくなり、作業性を向上させることができる。【解決手段】この発明は、オンライン中（紙葉類区分装置の稼動中）に紙葉類の排除要因をチェックし、区分ゲート３３への紙葉類の突き刺さりなどの不具合が発生している区分ポケットを特定し、不具合が発生している区分ポケットを警告表示するようにしたものである。【選択図】    図５
2005007316.tif 000002
【特許請求の範囲】
【請求項１】
紙葉類を搬送する搬送手段と、
この搬送手段にて搬送されている紙葉類が選択的に集積される集積手段と、
前記搬送手段にて搬送されている紙葉類を前記集積手段に集積するか否かを判断する判断手段と、
この判断手段により前記搬送手段にて搬送されている紙葉類を集積すると判断した場合、当該紙葉類を前記集積手段に取り込む取込手段と、
この取込手段により前記搬送手段にて搬送されている紙葉類を取込めなかった場合、前記集積手段に当該紙葉類を取り込めなかった原因を判別する判別手段と、
この判別手段による判別結果に基づいて前記集積手段への紙葉類の集積における不具合を報知する報知手段と、
を具備したことを特徴とする区分装置。
【請求項２】
紙葉類を搬送する搬送手段と、
この搬送手段にて搬送されている紙葉類が選択的に集積される複数の集積手段と、
前記各集積手段に対応して設置され、前記各集積手段の手前で前記搬送手段にて搬送されてくる紙葉類を検知する複数の検知手段と、
前記検知手段が紙葉類を検知した場合、当該検知手段に対応する集積手段に当該紙葉類を集積するか否かを判断する判断手段と、
この判断手段により前記搬送手段にて搬送されてくる紙葉類を当該集積手段に集積すると判断した場合、当該集積手段に当該紙葉類を取り込む取込手段と、
この取込手段により前記搬送手段にて搬送されてくる紙葉類を当該集積手段に取込めなかった場合、当該紙葉類を当該集積手段に取り込めなかった原因を判別する判別手段と、
この判別手段による判別結果に基づき、紙葉類の集積において不具合が発生した集積手段とその不具合の原因を報知する報知手段と、
を具備したことを特徴とする区分装置。
【請求項３】
前記判別手段は、当該集積手段に対応する検知手段の次に、前記搬送手段にて搬送される紙葉類を検知する検知手段が当該紙葉類を検知した場合、当該紙葉類を当該集積手段に取り込めなかった原因が前記取込手段の不具合であると判別する、ことを特徴とする前記請求項２に記載の区分装置。
【請求項４】
さらに、前記各集積手段に設けられている複数の表示器と、当該区分装置全体の様子を表示する表示装置とを有し、
前記報知手段は、前記判別手段による判別結果に基づき、紙葉類の集積において不具合が発生している集積手段に設けられている表示器に警告を表示するとともに、当該区分装置全体の様子を表示する表示装置に紙葉類の集積において不具合が発生している全ての集積手段とそれらの不具合の原因を表示する、ことを特徴とする前記請求項２に記載の区分装置。
【請求項５】
紙葉類を搬送する搬送手段と、
この搬送手段にて搬送されている紙葉類が選択的に集積される複数の集積手段と、
前記各集積手段に対応して設置され、前記各集積手段の手前で前記搬送手段にて搬送されてくる紙葉類を検知する複数の検知手段と、
前記検知手段が紙葉類を検知した場合、当該検知手段に対応する集積手段に当該紙葉類を集積するか否かを判断する判断手段と、
この判断手段により前記搬送手段にて搬送されてくる紙葉類を当該集積手段に集積すると判断した場合、当該集積手段に当該紙葉類を取り込む取込手段と、
この取込手段により前記搬送手段にて搬送されてくる紙葉類を当該集積手段に取込めなかった場合、当該紙葉類を当該集積手段に取り込めなかった原因を判別する判別手段と、
この判別手段により判別された原因別に取り込めなかった紙葉類の数を各集積手段ごとに累積集計する集計手段と、
この集計手段により累積集計された原因別の紙葉類の数が予め設定されている基準値を超えた場合、その原因により当該集積手段への紙葉類の集積において不具合が発生していることを報知する報知手段と、
を具備することを特徴とする区分装置。
【請求項６】
紙葉類を搬送する搬送手段と、
この搬送手段にて搬送されている紙葉類が選択的に集積される複数の集積手段と、
前記各集積手段に対応して設置され、前記各集積手段の手前で前記搬送手段にて搬送されてくる紙葉類を検知する複数の検知手段と、
前記検知手段が紙葉類を検知した場合、当該検知手段に対応する集積手段に当該紙葉類を集積するか否かを判断する判断手段と、
この判断手段により前記搬送手段にて搬送されてくる紙葉類を当該集積手段に集積すると判断した場合、当該集積手段に当該紙葉類を取り込む取込手段と、
この取込手段により前記搬送手段にて搬送されてくる紙葉類を当該集積手段に取込めなかった場合、当該紙葉類を当該集積手段に取り込めなかった原因を判別する判別手段と、
前記判別手段による判別結果に基づき、紙葉類の集積において不具合が発生している集積手段に設けられている表示器に警告を表示する表示手段と、
この表示手段により前記表示器で警告を表示している集積手段に設けられているスイッチが入力された場合、当該集積手段に設けられている表示器の警告表示を解除する警告表示解除手段と、
を具備することを特徴とする区分装置。
【請求項７】
前記表示器に警告が表示されている集積手段のスイッチは、当該集積手段に対する警告表示の解除を指示するスイッチとして機能し、前記表示器に警告が表示されていない集積手段のスイッチは、当該集積手段に対する警告表示の解除以外の動作を指示するスイッチとして機能する、ことを特徴とする前記請求項６に記載の区分装置。
【請求項８】
紙葉類を搬送する搬送手段と、
この搬送手段にて搬送されている紙葉類が選択的に集積される複数の集積手段と、
前記各集積手段に対応して設置され、前記各集積手段の手前で前記搬送手段にて搬送されてくる紙葉類を検知する複数の検知手段と、
前記検知手段が紙葉類を検知した場合、当該検知手段に対応する集積手段に当該紙葉類を集積するか否かを判断する判断手段と、
この判断手段により前記搬送手段にて搬送されてくる紙葉類を当該集積手段に集積すると判断した場合、当該集積手段に当該紙葉類を取り込む取込手段と、
この取込手段により前記搬送手段にて搬送されてくる紙葉類を当該集積手段に取込めなかった場合、当該紙葉類を当該集積手段に取り込めなかった原因を判別する判別手段と、
前記判別手段による判別結果に基づき、当該区分装置全体において紙葉類の集積に不具合が発生している全ての集積手段と不具合の原因と表示する表示手段と、
この表示手段により表示している全ての警告表示を一括して解除を指示が入力された場合、前記表示手段により表示している全ての警告表示を解除する警告表示解除手段と、
を具備することを特徴とする区分装置。
【請求項９】
紙葉類を搬送する搬送手段と、
この搬送手段にて搬送されている紙葉類が選択的に集積される複数の集積手段と、
前記各集積手段に対応して設置され、前記各集積手段の手前で前記搬送手段にて搬送されてくる紙葉類を検知する複数の検知手段と、
前記検知手段が紙葉類を検知した場合、当該検知手段に対応する集積手段に当該紙葉類を集積するか否かを判断する判断手段と、
この判断手段により前記搬送手段にて搬送されてくる紙葉類を当該集積手段に集積すると判断した場合、当該集積手段に当該紙葉類を取り込む取込手段と、
この取込手段により前記搬送手段にて搬送されてくる紙葉類を当該集積手段に取込めなかった場合、当該紙葉類を当該集積手段に取り込めなかった原因を判別する判別手段と、
前記判別手段による判別結果に基づき、紙葉類の集積において不具合が発生している集積手段に設けられている表示器に警告を表示する表示手段と、
この表示手段により前記表示器に警告が表示されている状態の集積手段に他の紙葉類が前記取込手段により取り込まれて正常に集積された場合、当該集積手段に設けられている表示器の警告表示を解除する警告表示解除手段と、
を具備することを特徴とする区分装置。
【請求項１０】
紙葉類を搬送する搬送手段と、この搬送手段にて搬送されている紙葉類が選択的に集積される集積手段とを有する区分装置の制御方法であって、
前記搬送手段にて搬送されている紙葉類を前記集積手段に集積するか否かを判断し、
この判断により前記搬送手段にて搬送されている紙葉類を前記集積手段に集積すると判断した場合、前記集積手段への当該紙葉類の取込処理を行い、
この取込処理により前記搬送手段にて搬送されている紙葉類を取込めなかった場合、当該紙葉類を前記集積手段に取り込めなかった原因を判別し、
この判別結果に基づいて前記集積手段への紙葉類の集積における不具合を報知する、
ことを特徴とする区分装置の制御方法。
【請求項１１】
紙葉類を搬送する搬送手段と、この搬送手段にて搬送されている紙葉類が選択的に集積される複数の集積手段とを有する区分装置の制御方法であって、
前記搬送手段における前記各集積手段の手前に前記各集積手段に対応して設置されている検知手段が前記搬送手段にて搬送される紙葉類を検知した場合、当該検知手段に対応する集積手段に当該紙葉類を集積するか否かを判断し、
この判断により前記搬送手段にて搬送されてくる紙葉類を当該集積手段に集積すると判断した場合、前記搬送手段から紙葉類を取り込む取込手段を用いて当該集積手段への当該紙葉類の取込処理を行い、
前記取込手段により前記搬送手段にて搬送されてくる紙葉類を当該集積手段に取込めなかった場合、当該集積手段に紙葉類を取り込めなかった原因を判別し、
この判別結果に基づき、紙葉類の集積において不具合が発生した集積手段とその不具合の原因を報知する、
ことを特徴とする区分装置の制御方法。
【請求項１２】
前記紙葉類を取り込めなかった原因の判別は、当該集積手段に対応する検知手段の次に、前記搬送手段にて搬送される紙葉類を検知する検知手段が当該紙葉類を検知した場合、当該紙葉類を当該集積手段に取り込めなかった原因が前記取込手段の不具合であると判別する、ことを特徴とする前記請求項１１に記載の区分装置の制御方法。
【請求項１３】
前記区分装置は、さらに、前記各集積手段に設けられている複数の表示器と、当該区分装置全体の様子を表示する表示装置とを有し、
前記不具合が発生している集積手段とその不具合の原因の報知は、前記紙葉類を取り込めなかった原因の判別結果に基づき、紙葉類の集積において不具合が発生している集積手段に設けられている表示器に警告を表示するとともに、当該区分装置全体の様子を表示する表示装置に紙葉類の集積において不具合が発生している集積手段とその不具合の原因を表示する、ことを特徴とする前記請求項１１に記載の区分装置の制御方法。
【請求項１４】
紙葉類を搬送する搬送手段と、この搬送手段にて搬送されている紙葉類が選択的に集積される複数の集積手段とを有する区分装置の制御方法であって、
前記搬送手段における前記各集積手段の手前に前記各集積手段に対応して設置されている検知手段が前記搬送手段にて搬送される紙葉類を検知した場合、当該検知手段に対応する集積手段に当該紙葉類を集積するか否かを判断し、
この判断により前記搬送手段にて搬送されてくる紙葉類を当該集積手段に集積すると判断した場合、当該集積手段への当該紙葉類の取込処理を行い、
この取込処理により前記搬送手段にて搬送されてくる紙葉類を当該集積手段に取込めなかった場合、当該紙葉類を当該集積手段に取り込めなかった原因を判別し、
この判別された原因別に取り込めなかった紙葉類の数を各集積手段ごとに累積集計し、
この累積集計された原因別の紙葉類の数が予め設定されている基準値を超えた場合、その原因により当該集積手段への紙葉類の集積に不具合が発生していることを報知する、
ことを特徴とする区分装置の制御方法。
【請求項１５】
紙葉類を搬送する搬送手段と、この搬送手段にて搬送されている紙葉類が選択的に集積される複数の集積手段とを有する区分装置の制御方法であって、
前記搬送手段における前記各集積手段の手前に前記各集積手段に対応して設置されている検知手段が前記搬送手段にて搬送される紙葉類を検知した場合、当該検知手段に対応する集積手段に当該紙葉類を集積するか否かを判断し、
この判断により前記搬送手段にて搬送されてくる紙葉類を当該集積手段に集積すると判断した場合、当該集積手段への当該紙葉類の取り込み処理を行い、
この取込処理により前記搬送手段にて搬送されてくる紙葉類を当該集積手段に取込めなかった場合、当該紙葉類を当該集積手段に取り込めなかった原因を判別し、
この判別結果に基づき、紙葉類の集積において不具合が発生している集積手段に設けられている表示器に警告を表示し、
前記表示器で警告を表示している集積手段に設けられているスイッチが入力された場合、当該集積手段に設けられている表示器の警告表示を解除する、
ことを特徴とする区分装置の制御方法。
【請求項１６】
さらに、前記表示器に警告が表示している状態では、当該集積手段のスイッチを当該集積手段に対する警告表示の解除を指示するスイッチとして設定し、
前記表示器に警告を表示していない状態では、当該集積手段のスイッチを当該集積手段に対する警告表示の解除以外の動作を指示するスイッチとして設定する、ことを特徴とする前記請求項１５に記載の区分装置の制御方法。
【請求項１７】
紙葉類を搬送する搬送手段と、この搬送手段にて搬送されている紙葉類が選択的に集積される複数の集積手段とを有する区分装置の制御方法であって、
前記搬送手段における前記各集積手段の手前に前記各集積手段に対応して設置されている検知手段が前記搬送手段にて搬送される紙葉類を検知した場合、当該検知手段に対応する集積手段に当該紙葉類を集積するか否かを判断し、
この判断により前記搬送手段にて搬送されてくる紙葉類を当該集積手段に集積すると判断した場合、当該集積手段への当該紙葉類の取込処理を行い、
この取込処理により前記搬送手段にて搬送されてくる紙葉類を当該集積手段に取込めなかった場合、当該紙葉類を当該集積手段に取り込めなかった原因を判別し、
この判別結果に基づき、当該区分装置全体において紙葉類の集積に不具合が発生している全ての集積手段と不具合の原因とを表示装置に表示し、
前記表示装置に表示している全ての警告表示を一括して解除を指示するスイッチが入力された場合、前記表示装置に表示している全ての警告表示を解除する、
ことを特徴とする区分装置の制御方法。
【請求項１８】
紙葉類を搬送する搬送手段と、この搬送手段にて搬送されている紙葉類が選択的に集積される複数の集積手段とを有する区分装置の制御方法であって、
前記搬送手段における前記各集積手段の手前に前記各集積手段に対応して設置されている検知手段が前記搬送手段にて搬送される紙葉類を検知した場合、当該検知手段に対応する集積手段に当該紙葉類を集積するか否かを判断し、
この判断により前記搬送手段にて搬送されてくる紙葉類を当該集積手段に集積すると判断した場合、当該集積手段への当該紙葉類の取込処理を行い、
この取込処理により前記搬送手段にて搬送されてくる紙葉類を当該集積手段に取込めなかった場合、当該紙葉類を当該集積手段に取り込めなかった原因を判別し、
この判別結果に基づき、紙葉類の集積において不具合が発生している集積手段に設けられている表示器に警告を表示し、
前記表示器に警告が表示されている状態の集積手段に他の紙葉類が正常に集積された場合、当該集積手段に設けられている表示器の警告表示を解除する、
ことを特徴とする区分装置の制御方法。
【発明の詳細な説明】
【０００１】
【発明の属する技術分野】
この発明は、例えば、郵便番号等の区分情報が記載されている郵便物等の紙葉類から区分情報の文字列が記載されている面を読取り、読取った画像に対する文字認識を行って区分処理を行う区分装置及び区分装置の制御方法に関する。
【０００２】
【従来の技術】
従来、紙葉類を区分する区分装置では、紙葉類の画像を読取り、その読取画像から区分先を示す区分情報としての文字を認識処理することにより紙葉類を区分している。例えば、７ケタの番号からなる郵便番号などの区分情報が記載されている紙葉類に対しては、読取画像から文字の領域を切り出し、その領域の文字を認識することにより区分処理している。
【０００３】
上記のような従来の区分装置内においては、紙葉類が区分情報に基づいて搬送されて区分情報に対応する区分ポケットに集積されるようになっている。区分機内において紙葉類を１本の搬送ベルトにて搬送する場合、上記搬送ベルトは、紙葉類の中央付近を保持して当該紙葉類を搬送する。この場合、例えば、紙葉類の両端部がカールしていると、区分ポケットへ集積する際に紙葉類を区分ポケットへ取り込む区分ゲートに突き刺さってしまうことが発生する可能性がある。
【０００４】
しかしながら、紙葉類を検知するシフトセンサが上記区分ゲートの手前に設けられている場合、紙葉類が上記シフトセンサを遮らない状態で区分ゲートに突き刺さってしまうことがある。この場合、紙葉類が上記シフトセンサにて検知されないため、ジャムとして検出されず、以降その場所へ集積される紙葉類は区分ゲートが上手く動作しないため排除集積部へ集積されてしまう。また、上記のような状態の区分ゲートよりも下流の区分ポケットに関しても紙葉類の搬送間隔が詰るなどの原因により、排除集積部へ集積される紙葉類が増加する原因となってしまう。
【０００５】
上記のように、従来の区分機では、紙葉類の区分ゲートへの突き刺さりなどの現象を監視する機能がない。このため、以下のような問題点がある。
（１）作業員が排除集積部に集積された紙葉類をチェックしない限り、紙葉類の区分ゲートへの突き刺さりなどの現象自体に気がつくことができない。この結果、排除集積部に集積される紙葉類の数が増えてしまい、区分処理の作業効率の低下を招いている。
【０００６】
（２）また、作業員が排除集積部に集積された紙葉類をチェックしても、どの辺りで紙葉類が区分ゲートに突き刺さっているかが直ぐに分からない。例えば、紙葉類が区分ゲートに突き刺さっている場所を特定するためには、各区分ポケットの区分ゲートを１つずつ確認するか、搬送路を下方から目視チェックする必要がある。この結果、作業員は紙葉類の抜取り作業以外にも排除集積部のチェックと区分ゲートあるいは搬送路のチェックをしなければならず、作業員の作業負荷が増えてしまう。
（３）さらには、紙葉類が区分ゲートに突き刺さった場合に、その現象をジャムとして検出できないような位置にシフトセンサが配置されていることも問題である。
【０００７】
【特許文献１】
特開２００２−１８６９１０号公報
【０００８】
【発明が解決しようとする課題】
上記したように、センサにて検知されない状態での区分ゲートにおけるジャムを監視する機能がないため、区分装置における作業効率が低下したり、作業員の作業負荷が増大してしまったりするという問題点を解決するものであり、区分装置における区分処理の効率を向上させ、作業員の作業負荷を軽減することができる区分装置及び区分装置の制御方法を提供することを目的とする。
【０００９】
【課題を解決するための手段】
この発明の区分装置は、紙葉類を搬送する搬送手段と、この搬送手段にて搬送されている紙葉類が選択的に集積される集積手段と、前記搬送手段にて搬送されている紙葉類を前記集積手段に集積するか否かを判断する判断手段と、この判断手段により前記搬送手段にて搬送されている紙葉類を集積すると判断した場合、当該紙葉類を前記集積手段に取り込む取込手段と、この取込手段により前記搬送手段にて搬送されている紙葉類を取込めなかった場合、前記集積手段に当該紙葉類を取り込めなかった原因を判別する判別手段と、この判別手段による判別結果に基づいて前記集積手段への紙葉類の集積における不具合を報知する報知手段とを有する。
【００１０】
この発明の区分装置の制御方法は、紙葉類を搬送する搬送手段と、この搬送手段にて搬送されている紙葉類が選択的に集積される集積手段とを有する区分装置の方法であって、前記搬送手段にて搬送されている紙葉類を前記集積手段に集積するか否かを判断し、この判断により前記搬送手段にて搬送されている紙葉類を前記集積手段に集積すると判断した場合、前記集積手段への当該紙葉類の取込処理を行い、この取込処理により前記搬送手段にて搬送されている紙葉類を取込めなかった場合、当該紙葉類を前記集積手段に取り込めなかった原因を判別し、この判別結果に基づいて前記集積手段への紙葉類の集積における不具合を報知することを特徴とする。
【００１１】
【発明の実施の形態】
以下、この発明の実施の形態について図面を参照して説明する。
図１は、この発明の区分機としての紙葉類区分装置を示している。
図１に示すように、紙葉類区分装置は、フロント部１、下搬送部２、追加モジュール部３、段パス部４、区分部５から構成されている。
【００１２】
上記フロント部１において、紙葉類は、供給部１１に載置される。上記紙葉類は、第１面に特定領域を示す番号や所在などの文字列情報が書き込まれ、或いは印刷されている。上記供給部１１には、上記紙葉類の第１面が同一方向を向くように後端を揃えて立位で収容される。上記供給部１１は、これらの紙葉類を所定の取出位置へ順次供給するものである。上記フロント部１内の紙葉類の取出位置には、供給部１１に供給された紙葉類を主搬送路１２に沿って所定の間隔で一通づつ取出す取出部１３が配設されている。尚、供給部１１内に収容された紙葉類は、取出位置に供給された際に特定領域を示す番号が上方に位置し且つ第１面が取出部１３に向うように整列して配置されている。
【００１３】
取出部１３にて一定の取出し間隔で取出される紙葉類は、一定速度で走行する搬送ベルトを有する主搬送路１２により一定の搬送間隔（ピッチ）で搬送される。主搬送路１２上には、紙葉類に異物が含まれている場合にその異物を検知するとともに紙葉類自体の硬さを検知する異物・硬さ検知部１４が設けられている。異物・硬さ検知部１４の下流側で主搬送路１２から分岐された搬送路上には、異物・硬さ検知部１４の検知により機械処理が不可能と判断された紙葉類を排除する排除集積部１５が設けられている。
【００１４】
異物・硬さ検知部１４の下流側の主搬送路１２上には、文字列情報が記録された紙葉類の第１面の画像を読取るＯＣＲスキャナ部１７と紙葉類に印刷されているバーコード情報を読み取るバーコード読取部１６とを有する読取装置が設置されている。上記ＯＣＲスキャナ部１７は、区分情報（紙葉類の区分先を示す情報）としての文字列情報が記録された紙葉類の第１面を光学的に読取走査する。このＯＣＲスキャナ部１７により読取った画像には、ＯＣＲ処理が施され、当該紙葉類の区分情報が認識されるようになっている。また、バーコードが付与されている紙葉類に対しては、上記バーコード読取部１６によりバーコードが読取られる。バーコードが付与されている紙葉類は、上記バーコード読取部１６により読取ったバーコードが示す情報に基づいて区分処理される。
【００１５】
上記主搬送路１２は、上記読取装置の下流側で上記下搬送部２へ紙葉類を搬送するように設置されている。上記下搬送部２において主搬送路１２は、紙葉類を追加モジュール部３あるいは段パス部４へ搬送するようになっている。上記下搬送部２では、上記フロント部１の上記読取装置を通過した紙葉類を追加モジュール部３あるいは段パス部４へ搬送するようになっている。上記下搬送部２を搬送される間に、各紙葉類の区分情報が認識される。
【００１６】
例えば、上記フロント部１内のバーコード読取部１６にて紙葉類からバーコードが読取られなかった場合、当該紙葉類は、上記下搬送部２から上記追加モジュール部３へ搬送される。また、上記フロント部１内のバーコード読取部１６にて紙葉類からバーコードが読取られた場合、当該紙葉類は、上記下搬送部２から段パス部４へ搬送されるようになっている。
【００１７】
上記追加モジュール部３は、上記下搬送部２から供給された紙葉類にバーコード情報を付与するようになっている。上記追加モジュール部３では、上記フロント部１内で読取られた紙葉類の画像に対するＯＣＲ処理により、認識された当該紙葉類の区分情報に基づくバーコードを当該紙葉類に付与する。上記追加モジュール部３は、バーコード情報を紙葉類に付与するバーコード印刷部１８及び紙葉類に付与したバーコードを確認のため読取るベリファイバーコード読取部１９が設けられている。また、上記追加モジュール部３では、上記ベリファイバーコード読取部１９による読取結果に基づいて各紙葉類の区分先を決定し、各紙葉類を段パス部４へ供給するようになっている。
【００１８】
上記段パス部４は、上記追加モジュール部３あるいは上記下搬送部２から紙葉類が供給される。上記段パス部４に供給される紙葉類には、バーコードが付与されている。これにより、上記段パス部４は、各紙葉類に付与されているバーコードが示す区分情報に基づいて紙葉類を区分部５へ供給する。上記段パス部４は、複数の段パスゲートを有しており、上記段パス部４では、各紙葉類の区分情報に基づいて段パスゲートを駆動し、各紙葉類を区分部５の各段へ選択的に供給するようになっている。
【００１９】
上記区分部５は、複数の段および複数の列に区画された複数の区分ポケット２０を有している。たとえば、８段２５列の２００個の区分ポケット２０、…により構成されている。各区分ポケット２０には、ポケット番号が付与されている。また、区分部５には、文字列の認識が不能となった紙葉類や種々の要因で所望の区分ポケット２０に集積できなかった紙葉類（排除された紙葉類、ＯＶＦの紙葉類）を集積する排除集積ポケット（リジェクトポケット）２０ａが各段の図中最左に設けられている。各区分ポケット２０には、各区分ポケット２０の状態を示す種々の情報が表示される表示部２１がそれぞれ設けられている。
【００２０】
また、区分部５において、各段の区分ポケット２０の上方には、段パス部４の段パスゲートにより振り分けられた紙葉類を搬送する搬送路（後述する）が設けられている。また、各区分ポケット２０には、上記搬送路から紙葉類を区分ポケット２０内に取り込む区分ゲート（後述する）が設けられている。上記区分部５では、各紙葉類の区分情報に基づいて上記区分ゲートを選択的に切換えることにより、段パス部４の段パスゲートで振り分けられた紙葉類を各区分ポケット２０に取り込んで集積するようになっている。
【００２１】
更に、紙葉類区分装置の図中中央上側には係員に装置の異常を報知する報知手段としての情報表示器２２が設けられている。上記情報表示器２２には、紙葉類区分装置の動作状態や動作異常などを報知するものである。また、紙葉類区分装置の図中左側前面には、各区分ポケット２０の集積状態や本装置の異常発生時に異常箇所を報知するとともに、係員による各種入力操作が成されるオペレートパネル２３が設けられている。なお、本実施の形態では、上記情報表示器２２は上記オペレートパネル２３と同様な情報を表示できるものであるとする。
【００２２】
次に、上記区分部５の各区分ポケット２０について説明する。
図２は、上記区分部５における区分ポケット２０と区分ポケット２０周辺の構成を示す側面図である。
【００２３】
図２に示すように、区分部５において各段の区分ポケット２０の上方に設けられている搬送路３０は、搬送ベルト３１と各区分ポケット２０ごとに設けられた搬送ベルト３２とから構成される。各区分ポケット２０には、上記搬送路３０を搬送される紙葉類Ｐを取り込む区分ゲート３３が設けられている。上記区分ゲート３３は、後述する駆動回路により駆動して上記搬送路３０を搬送されている紙葉類Ｐを取り込むことができるようになっている。また、上記搬送路３０上には、各区分ポケット２０ごとにシフトセンサ３４が設けられている。上記シフトセンサ３４は、各区分ポケット２０を通過する搬送路３０上の紙葉類Ｐを検知するようになっている。
【００２４】
各区分ポケット２０内は、上記区分ゲート３３により取り込んだ紙葉類Ｐを収納する区分集積部３５と、上記区分集積部３５に集積された紙葉類の量（厚さ）に応じて可動する満杯検出レバー３６と、上記満杯検出レバーにより上記区分集積部３５に集積されている紙葉類の満杯を検知する満杯検知センサ３７とを有している。さらに、各区分ポケット２０には、オペレータにより確認可能な位置に設けられる上記表示部２１がそれぞれ設けられている。
【００２５】
図３は、上記区分ポケット２０近傍の上面図である。図３では、上記搬送ベルト３１、上記区分ゲート３３、上記シフトセンサ３４、及び紙葉類Ｐの関係を示している。
図３に示すように、上記搬送ベルト３１に沿って搬送される紙葉類Ｐは、区分ゲート３３の手前でシフトセンサ３４により検知される。すなわち、上記搬送路３０を搬送されている紙葉類Ｐを所望の区分ポケット２０に集積する場合、上記搬送路３０を搬送されている紙葉類Ｐが所望の区分ポケット２０直前に設けられているシフトセンサ３４により検知された際に、当該区分ポケット２０の区分ゲート３３を駆動させる。これにより、区分ゲート３３が搬送路３０を搬送されている紙葉類Ｐを当該区分ポケット２０の区分集積部３５内に取り込むようになっている。
【００２６】
図４は、各区分ポケット２０に設けられている表示部２１の外観構成を示す図である。
図４に示すように、上記表示部２１は、液晶ディスプレイ（ＬＣＤ）４１、満杯ランプ４２、及びＬＥＤ４３ａが内蔵されているスイッチ４３などを有している。上記ＬＣＤ４１は、当該区分ポケット２０に対して設定されている区分情報（例えば、郵便番号や住所等）などを表示するものである。上記満杯ランプ４２は、当該区分ポケット２０の区分集積部３５内に集積されている紙葉類の満杯を報知するものである。上記スイッチ４３は、紙札の発行を指示したり、当該区分ポケット２０の集積異常などを警告したりするものである。
【００２７】
次に、紙葉類区分装置の制御系について説明する。
図５は、紙葉類区分装置の制御系の構成を概略的に示すブロック図である。
図５に示すように、紙葉類区分装置は、装置内の各部を制御することにより装置全体の制御を行う制御部５０を有している。また、上記制御部５０は、紙葉類の画像から区分情報を判別する機能及びバーコード情報から区分情報を判別する機能を有しているものとする。さらに、上記制御部５０は、区分情報と各区分ポケット２０とを対応づけたデータベース（図示しない）を有しているものとする。これにより、上記制御部５０は、紙葉類の区分情報を認識して当該紙葉類を区分集積すべき区分ポケットを指定する機能を有するものとする。
【００２８】
また、上記制御部５０には、図５に示すように、取出制御部５１、異物検出制御部５２、読取部インターフェース制御部５３、追加モジュール制御部５４、搬送及び区分制御部（搬送・区分制御部）５５、及びパネル制御部５６などが接続されている。
【００２９】
上記取出制御部５１は、供給部１１、取出し部１３及びそれらの周辺機構などを制御するものである。この取出制御部５１は、上記供給部１１にセットされている紙葉類の供給及び取出しなどの動作を制御する。上記異物検出制御部５２は、異物検知部１４の検知結果に基づいて、異物が混入している紙葉類を上記排除集積部１５へ排除する動作を制御する。
【００３０】
上記読取部インターフェース制御部５３は、バーコード読取部１６あるいはＯＣＲスキャナ部１７で読取った情報を制御部５０などへ供給する制御を行う。上記読取部インターフェース制御部５３は、バーコード読取部（ＢＣＲ）通信回路６１とＯＣＲスキャナ部（ＯＣＲ）通信回路６２とを有している。
【００３１】
上記ＢＣＲ通信回路６１は、上記バーコード読取部１６に接続されている。上記ＢＣＲ通信回路６１は、上記バーコード読取部１６により読取ったバーコード情報を読取部インターフェース制御部５３へ供給するようになっている。
また、上記ＯＣＲ通信回路６２は、上記ＯＣＲスキャナ部１７に接続されている。上記ＯＣＲ通信回路６２は、上記ＯＣＲスキャナ部１７により読取った紙葉類の画像を読取部インターフェース制御部５３へ供給するようになっている。
【００３２】
上記追加モジュール制御部５４は、上記制御部５０が紙葉類の画像から判別した区分情報に基づくバーコード情報を当該紙葉類に印刷（ＩＪＰ）する動作を制御する。上記搬送及び区分制御部５５は、区分機内における紙葉類を搬送、及び各区分ポケットへの集積などの動作を制御するものである。また、上記パネル制御部５６は、オペレートパネル２３及び情報表示器２２に接続されている。上記パネル制御部５６は、紙葉類の集積状況に関する情報や区分機内での動作異常などの情報をオペレートパネル２３に表示したり、上記オペレートパネル２３にて入力された情報を上記制御部５０へ通知したりする動作の制御を行う。また、上記パネル制御部５６は、上記情報表示器２２の表示を制御する機能を有している。
【００３３】
また、図５に示すように、上記搬送及び区分制御部５５は、モータ駆動回路７１、エンコーダ入力回路７２、ゲート駆動回路７３、スイッチ制御回路７４、ランプ制御回路７５、ＬＣＤ制御回路７６、及びメモリ７７などが接続されている。
【００３４】
上記モータ駆動回路７１は、上記搬送・区分制御部５５からの動作指示に基づいてインバータモータ８１を駆動させる回路である。上記インバータモータ８１は、上記搬送ベルト３１などを駆動させるモータである。このインバータモータの駆動により搬送ベルト３１等の搬送機構が駆動して紙葉類区分装置内の紙葉類が搬送される。
【００３５】
上記エンコーダ入力回路７２は、ロータリーエンコーダ８２に接続され、上記ロータリーエンコーダ８２からの信号により紙葉類の搬送速度を検出するものである。上記エンコーダ入力回路７２は、上記ロータリーエンコーダ８２からの上記搬送ベルト３１の駆動速度あるいは上記インバータモータ８１の駆動速度を示す信号により紙葉類の搬送速度を検出する。
【００３６】
上記ゲート駆動回路７３は、上記段パスゲートあるいは各区分ポケット２０の区分ゲート３３を駆動させるものである。上記ゲート駆動回路７３により駆動する段パスゲートあるいは区分ゲート３３により紙葉類が区分ポケット２０内の区分集積部３５に集積される。
【００３７】
上記スイッチ制御回路７４は、シフトセンサ３４、満杯検知センサ３７、あるいはスイッチ４３などに接続されている。上記スイッチ制御回路７４は、上記シフトセンサ３４の検知結果により各区分ゲート３３の駆動タイミングを検出している。上記スイッチ制御回路７４は、上記満杯検知センサ３７の検知結果により各区分ポケット２０内の区分集積部３５内に集積されている紙葉類の集積状態を監視している。また、上記スイッチ制御回路７４は、オペレータからの上記スイッチ４３への指示入力を検出している。
【００３８】
上記ランプ制御回路７５は、各区分ポケット２０に設けられている表示部２１の満杯ランプ４２及び上記ＬＥＤ４３ａのオンオフを行う回路である。上記ＬＣＤ制御回路７６は、各区分ポケットに設けられている表示部２１のＬＣＤ４１の表示を制御する回路である。上記ＬＣＤ制御回路７６は、上記ＬＣＤ４１に集積情報（郵便番号や住所などの区分情報）を表示するようになっている。上記メモリ７７は、各種情報を保持するための記憶装置である。また、上記メモリ７７には、後述する情報格納エリア７７ａ、７７ｂ、７７ｃ、７７ｄが設けられている。また、上記メモリ７７の記憶エリアのうち少なくとも一部は、図示しないバッテリーでバックアップされたメモリであるものとする。
【００３９】
次に、本紙葉類区分装置内での搬送及び区分制御に関する情報について説明する。
図６〜図１０は、上記メモリ７７に記憶されている情報の構成例を示す図である。
図６（ａ）は、種々のデフォルト値を格納するデフォルト値格納エリア７７ａの構成例を示す図である。図６（ｄ）は、上記デフォルト値格納エリア７７ａに格納されるデータの例を示す図である。
【００４０】
上記デフォルト値格納エリア７７ａには、紙葉類の排除要因別に警告表示をするか否かを判断するための判定基準となる基準値が記憶される。上記デフォルト値格納エリア７７ａに記憶されるデータは、本紙葉類区分装置が稼動中などでも変化しないデータである。上記デフォルト値格納エリア７７ａの構成としては、排除要因毎にエリアが設けられている。
【００４１】
図６（ａ）に示す構成例では、ゲートでの振り分けミス（ゲートでの振り分けミスで排除されたもの）、追付き（先に搬送されている紙葉類に追付いたもの）、満杯（区分集積部が満杯であったために排除されたもの）、段パスでのスキュー（段パスでスキューしたために排除されたもの）、答えなし（排除要因が不明なもの）、再区分なしなどの排除要因毎のエリアが設けられている。上記デフォルト値格納エリア７７ａの各エリアには、警告表示をする基準としての基準値が記憶（設定）されている。各エリアには、１つの区分ポケット分の基準値が格納されている。各エリアに記憶される基準値は、例えば、図６（ｂ）に示すように、紙葉類の数が記憶されている。
【００４２】
図７は、各区分ポケット２０に集積できなかった紙葉類に関する情報を格納する排除要因集計エリア７７ｂの構成例を示す図である。図８は、上記排除要因集計エリア７７ｂのうちの１つの区分ポケット２０に対する集計データの構成例を示す図である。
【００４３】
上記排除要因集計エリア７７ｂには、各区分ポケット２０で排除された紙葉類の数が排除要因毎にカウントしたデータが記憶される。すなわち、上記排除要因集計エリア７７ｂは、図７に示すように、全ての区分ポケット２０分の記憶エリアが設けられている。さらに、各区分ポケット２０分の記憶エリアには、図８に示すように、当該区分ポケット２０で排除した紙葉類の数が排除要因ごとに記憶されるようになっている。また、図８に示すように、区分ポケット２０での排除要因毎の記憶エリアは、図６（ａ）に示すようなデフォルト値格納エリア７７ａの排除要因毎の記憶エリアに対応して設けられている。
【００４４】
また、上記排除要因集計エリア７７ｂに記憶されているデータは、本紙葉類区分装置の初期立上げした場合に全てクリアされる。また、正常集積時には該当する区分ポケット２０のデータがクリアされる。また、上記区分部５での区分処理中に正常集積できなかった紙葉類が発生した場合、当該紙葉類の区分ポケット２０と排除要因とが判定され、上記排除要因集計エリア７７ｂにおいて、該当する区分ポケット２０に対応する記憶エリアの該当する排除要因のデータがカウントアップされる。
【００４５】
従って、区分ポケット毎かつ排除要因毎に集計されている上記排除要因集計エリア７７ｂの値と上記デフォルト値格納エリア７７ａに格納されている基準値とを比較した場合、上記デフォルト値格納エリア７７ａに格納されている基準値を超える値となっている区分ポケット２０があれば、その区分ポケット２０に対する警告を表示する警告表示処理が行われる。
【００４６】
なお、上記排除要因集計エリア７７ｂを図示しないバッテリでバックアップされたメモリエリアに設け、排除要因別にカウントアップしたデータ（排除要因ごとの集計データ）を保持しておくことにより、システムクリアをした場合であっても紙葉類が詰まっていることを再表示することが可能となる。
【００４７】
図９（ａ）は、スイッチの機能に関する設定情報が格納されるスイッチ禁止／許可情報エリア７７ｃの構成例を示す図である。図９（ｄ）は、上記スイッチ禁止／許可情報エリア７７ｃに格納されるデータの例を示す図である。
【００４８】
上記スイッチ禁止／許可情報エリア７７ｃは、上記スイッチ４３が指示入力された場合に紙札を発行するか、警告表示の解除を行うかを設定が格納される記憶エリアである。
【００４９】
すなわち、上記スイッチ禁止／許可情報エリア７７ｃには、スイッチ４３を当該区分ポケット２０に対する紙札の発行を指示するための紙札発行スイッチとして機能させるか、スイッチ４３を警告表示を解除するための警告解除スイッチとして機能させるかを設定する設定値が記憶される。上記スイッチ禁止／許可情報エリア７７ｃには、図９（ａ）に示すように、各区分ポケット２０分の設定値を記憶する記憶エリアが設けられている。
【００５０】
上記スイッチ禁止／許可情報エリア７７ｃは、数などを判定するためのデータが記憶されるものではないので、例えば、図９（ｂ）に示すように、各区分ポケット２０を１ビット毎に割振る。この場合、“１”となっているビットに対応する区分ポケット２０のスイッチ４３は警告表示解除スイッチとしての機能を有効とし、“０”となっているビットに対応する区分ポケット２０のスイッチ４３は紙札発行スイッチとしての機能を有効とする。図９（ｂ）に示す例では、ビット０〜ビット７が区分ポケットとしてのＡ００〜Ａ０７に対応しており、Ａ０３の区分ポケットのスイッチ４３のみが警告表示解除スイッチとして機能し、他の区分ポケット（Ａ００〜Ａ０２、Ａ０４〜Ａ０７）のスイッチが紙札発行スイッチとして機能する。
【００５１】
このように上記スイッチ禁止／許可情報エリア７７ｃを構成した場合、紙葉類区分装置の初期立上げ時には警告表示がない状態なので、上記スイッチ禁止／許可情報エリア７７ｃの全エリアをクリアする（全てビットを“０”とする）。また、警告表示解除スイッチとしての機能が有効と状態で対応する区分ポケット２０のスイッチ４３が入力された場合、当該区分ポケット２０に対応するビットの値を“１”から“０”に変更させる。これにより、当該区分ポケット２０のスイッチ４３は、警告表示解除スイッチから紙札発行スイッチに変更される。
【００５２】
図１０（ａ）は、区分ポケット２０に集積されなかった紙葉類に関する情報が格納されるシフト情報データ格納エリア７７ｄの構成例を示す図である。図１０（ｄ）は、上記シフト情報データ格納エリア７７ｄに格納されるデータの例を示す図である。
【００５３】
上記シフト情報データ格納エリア７７ｄは、各紙葉類ごとに設けられる。上記シフト情報データ格納エリア７７ｄは、図１０（ａ）に示すように、メール番号（ＩＤコード）の記憶エリアと、プレゼントコード（センサ番号）の記憶エリアと、集積先の記憶エリアと、排除要因の記憶エリアと、排除発生場所情報が記憶される記憶エリアとから構成されている。
【００５４】
上記シフト情報データ格納エリア７７ｄに格納されるメール番号は、当該紙葉類を示す識別情報であり、当該紙葉類に対してシーケンシャルに振られたＩＤコードである。このメール番号は、例えば、上記追加モジュール３のバーコード印刷部（ＩＪＰ）にて当該紙葉類にバーコードとして付与される情報である。上記シフト情報データ格納エリア７７ｄに格納されるプレゼントコードは、当該紙葉類が集積されるべき集積先としての区分ポケット２０に対応するシフトセンサ３４を示す情報である。
【００５５】
上記シフト情報データ格納エリア７７ｄに格納される集積先は、当該紙葉類が集積されるべき区分ポケット２０を示す情報である。従って、上記集積先の記憶エリアには、当該紙葉類が正常集積された場合には当該紙葉類が集積された区分ポケットを示す情報が格納され、当該紙葉類が排除された場合には当該紙葉類の集積が排除された区分ポケットを示す情報が格納される。
【００５６】
上記シフト情報データ格納エリア７７ｄに格納される排除要因は、上記デフォルト値格納エリア７７ａや上記排除要因集計エリア７７ｂに設定されている排除要因と対応するものである。上記排除要因の記憶エリアには、各排除要因ごとに記憶エリアが設けられている。例えば、当該紙葉類が正常に集積された場合、上記シフト情報データ格納エリア７７ｄの排除要因の記憶エリアには、全て“０”が格納される。また、当該紙葉類が集積されずに排除に回った場合（正常に集積されずに排除された場合）、該当する排除要因に対応する記憶エリアにのみ“１”が格納され、排除要因に対応する記憶エリアには全て“０”が格納される。
【００５７】
また、上記シフト情報データ格納エリア７７ｄに格納される排除発生場所情報は、当該紙葉類が排除された場所を示す情報が記憶さえる。例えば、排除発生場所情報としては、排除された紙葉類が集積されるべきであった区分ポケットを示す情報が格納される。
【００５８】
例えば、区分ポケットＡ１０に集積されるべきメール番号１００の紙葉類が満杯で排除された場合、図１０（ｂ）に示すように、シフト情報データ格納エリア７７ｄには、排除要因しての満杯による排除を示すエリアに“１”がセットされ、その他の排除要因を示すエリアに“０”が格納される。さらに、プレゼントコードのエリアには、区分ポケットＡ１０に対応するシフトセンサ１０に与えられているプレゼントコードとして“１０”が格納され、排除発生場所情報のエリアには、区分ポケットＡ１０を示す“Ａ１０”が格納される。
【００５９】
次に、本紙葉類区分装置の動作について説明する。
図１１は、本紙葉類区分装置の区分処理時（オンライン時）における紙葉類の排除要因の検出に関するフロチャートである。
本紙葉類区分装置では、ゲート振分ミス等の排除要因は、紙葉類が搬送されているオンライン中に判定するようになっている。以下の説明は、紙葉類が区分部５内でシフト（搬送）されている時（本紙葉類区分装置が稼動中）の動作であり、各区分ポケット２０とその周辺の動作を説明するものである。
【００６０】
すなわち、上記区分部５内の搬送路３０を搬送されている紙葉類がシフトセンサ３４を遮ったものとする。この際、上記搬送・区分制御部５５は、当該シフトセンサ３４に対応する区分ポケット２０に当該シフトセンサ３４にて検知された紙葉類を集積するか否かを判断（集積場所チェック）する（ステップＳ１１）。
【００６１】
この集積場所チェックにより当該紙葉類が当該区分ポケット２０に集積すべきものでないと判断した場合（集積対象外であると判断した場合）（ステップＳ１２、対象外）、上記搬送・区分制御部５５は、上記ゲート駆動回路７３により当該区分ポケット２０の区分ゲート３３をオフする。これにより、当該紙葉類は、当該区分ポケット２０を通過し、さらに、下流へ搬送される。
【００６２】
また、上記集積場所チェックにより当該紙葉類が当該区分ポケット２０に集積すべきものであると判断した場合（ステップＳ１２、対象）、上記搬送・区分制御部５５は、当該区分ポケット２０が満杯か否かを判断する（ステップＳ１３）。この判断により当該区分ポケットが満杯でないと判断した場合（ステップＳ１３、可）、上記搬送・区分制御部５５は、当該紙葉類を当該区分ポケット２０に集積するため、上記ゲート駆動回路７３により当該区分ポケット２０の区分ゲート３３をオンする（ステップＳ１４）。
【００６３】
また、上記判断により当該区分ポケットが満杯であると判断した場合（ステップＳ１３、満杯）、上記搬送・区分制御部５５は、当該区分ポケット２０にはそれ以上紙葉類を集積できないため、当該紙葉類を排除する。当該区分ポケットの満杯によって当該紙葉類を排除する場合、上記搬送・区分制御部５５は、上記排除要因集計エリア７７ｂ及び上記シフト情報データ格納エリア７７ｄに当該紙葉類が満杯によって排除されたことを示すデータをセットし（ステップＳ１５）、上記ゲート駆動回路７３により当該区分ポケット２０の区分ゲート３３をオフする（ステップＳ１６）。
【００６４】
なお、区分ポケット２０が満杯で紙葉類が排除された場合、上記排除要因集計エリア７７ｂには、当該区分ポケット２０に対応する記憶エリアに満杯による排除の数を示すデータが累積集計されて格納される。また、上記シフト情報データ格納エリア７７ｄには、当該紙葉類のシフト情報として当該紙葉類に対応する排除要因を示す記憶エリアに満杯による排除であることを示すフラグがセットされる。
【００６５】
上記のような動作により満杯が原因で排除された紙葉類は、当該区分ポケット２０を通過して下流へ搬送され、リジェクトポケット２０ａに集積される。また、満杯で紙葉類が排除された場合には、後述するステップＳ２１へ進み、後述するステップＳ２１〜Ｓ２７と同様な動作により満杯による排除数に基づいて警告が表示される。
【００６６】
また、上記ステップＳ１４で、当該区分ポケット２０の区分ゲート３３をオンした場合、上記搬送・区分制御部５５は、次のシフトセンサ３４のセンサ状態をチェックするネクストセンサチェック処理を行う。このネクストセンサチェック処理では、次のシフトセンサ３４が当該紙葉類を検知したか否かを判断することにより当該紙葉類が所望の区分ポケット２０に集積されたか否かを判断するものである。
【００６７】
つまり、区分ゲート３３の不具合により当該区分ポケット２０に紙葉類を正常に集積できなかった場合、当該紙葉類は、区分ゲート３３がオンの状態であっても当該区分ポケット２０を通過して下流に搬送される。例えば、区分ゲート３３に紙葉類が突き刺さってしまっている場合、当該区分ゲート３３をオンしても、上記搬送路３０を搬送されている紙葉類が区分ポケット２０内に取り込まれずに当該区分ゲート３３を通過して排除されることがある。図１２は、区分ゲート３３に紙葉類が突き刺さってしまっている状態における搬送ベルト３１とシフトセンサ３４と区分ゲート３３との関係を示す上面図である。また、図１３は、区分ゲート３３に紙葉類が突き刺さってしまっている状態の区分ポケット２０とその周辺の様子を示す側面図である。
【００６８】
従って、上記ネクストセンサチェック処理は、次のシフトセンサ３４で当該紙葉類が検知された場合には当該紙葉類が振分ミスによって排除されたものと判断し、次のシフトセンサ３４にて当該紙葉類が検知されなかった場合には当該紙葉類が正常集積されたことを判断するものである。ここでは、ネクストセンサチェック処理において、所定時間内に次のシフトセンサ３４が紙葉類を検知したか否かにより、当該紙葉類が次のシフトセンサ３４で検知されたか否かを判断するものとする（ステップＳ１８）。
【００６９】
すなわち、上記ネクストセンサチェック処理により当該紙葉類が次のシフトセンサ３４で検知された場合（ステップＳ１８、あり）、上記搬送・区分制御部５５は、当該紙葉類が振分ミスによって排除されたものと判断する。当該紙葉類が振分ミスによって排除されたものと判断した場合、上記搬送・区分制御部５５は、上記排除要因集計エリア７７ｂの当該区分ポケット２０に対応する記憶エリアに振分ミスによる排除数を示すデータを累積集計（カウントアップ）して格納する（ステップＳ１９）。これとともに、上記搬送・区分制御部５５は、上記シフト情報データ格納エリア７７ｄに当該紙葉類のシフト情報として当該紙葉類の排除要因が振分ミスであることを示すフラグをセットし、排除発生場所情報として当該区分ポケットを示す情報を格納する（ステップＳ２０）。
【００７０】
上記排除要因集計エリア７７ｂに記憶されている振分ミスなどの排除要因ごとの排除数がカウントアップされた場合、上記搬送・区分制御部５５は、カウントアップされた値が上記デフォルト値格納エリア７７ａに記憶されている振分ミスなどの排除要因ごとの排除数の基準値を超えているか否かを判断する（ステップＳ２１）。この判断によりカウントアップされた値が基準値以内であると判断した場合（ステップＳ２１、基準値以内）、上記搬送・区分制御部５５は、当該紙葉類に対する処理を終了する。
【００７１】
また、上記判断によりカウントアップした値が基準値を超えていると判断した場合、上記搬送・区分制御部５５は、当該区分ポケット２０にて不具合が発生していることを報知するための警告表示処理を行う（ステップＳ２２）。この警告表示処理は、以下に説明するような３つの表示処理からなっている。
【００７２】
１つ目の表示処理は、上記パネル制御部５６によりオペレートパネル２３に区分ゲート３３の振分ミスなどの不具合が発生した区分ポケットを示す情報（段、ポケット番号）あるいは区分ゲートを示す情報を警告表示する処理である。上記オペレートパネル２３による警告表示では、例えば、紙葉類を供給部１１に供給する作業員などのオペレートパネル２３付近にいる作業員に、振分ミスなどの不具合が発生している区分ポケットがあることを警告する。また、オペレートパネル２３では、同時に複数の区分ポケットで不具合が発生している場合には複数の区分ポケットに対する同時に警告を表示することが可能である。
【００７３】
２つ目の表示処理は、上記パネル制御部５６により上記オペレートパネル２３に表示する内容と同じ内容を上記情報表示器２２に警告表示する処理である。上記情報表示器２２による警告表示では、例えば、区分部５の各区分ポケット２０から紙葉類を抜き取る作業員などの情報表示器２２付近にいる作業員に、区分ゲートの振分ミスなどの不具合が発生している区分ポケットがあることを警告する。
【００７４】
３つ目の表示処理は、上記ランプ制御回路７５により当該区分ポケット２０の表示部２１に区分ゲート３３の振分ミスなどの不具合が発生していることを警告表示するものである。３つ目の表示処理では、区分ゲート３３の振分ミスなどの不具合が発生している区分ポケット２０の表示部２１に設けられているスイッチ４３内のＬＥＤ４３ａを点滅表示させる。上記スイッチ４３内のＬＥＤ４３ａを点滅表示させることにより、各区分ポケット２０から紙葉類を抜き取る作業員などの作業員に対して、不具合が発生している区分ポケット２０の位置を直接的に報知することが可能となる。
【００７５】
さらに、３つ目の表示処理では、当該区分ポケット２０のスイッチ４３内のＬＥＤ４３ａを点滅表示させるとともに、上記スイッチ禁止／許可情報エリア７７ｃにより当該スイッチ４３を警告表示解除スイッチとして機能させるように設定を変更する。例えば、図９に示すような構成のスイッチ禁止／許可情報エリア７７ｃに対しては、当該区分ポケット２０に対応するビットの値を“１”に変更する。なお、通常状態（警告が表示されていない状態）の区分ポケット２０では、上記スイッチ４３を紙札発行スイッチとして機能させるため、通常状態の区分ポケット２０に対応するビットの値は“０”となっている。
【００７６】
上記のような警告表示処理により警告を表示した後、上記搬送・区分制御部５５は、警告を解除する操作が行われたか否かをチェックする（ステップＳ２３）。上記警告表示の解除操作が行われていない場合（ステップＳ２３、なし）、上記搬送・区分制御部５５は、そのまま警告表示を継続させて当該紙葉類に対する処理を終了する。
【００７７】
また、上記警告表示の解除操作が行なわれた場合（ステップＳ２３、あり）、上記搬送・区分制御部５５は、警告表示の解除処理を行う（ステップＳ２５、Ｓ２６）。ここで、上記警告表示の解除を指示する操作方法としては、オペレートパネル２３による警告表示の解除指示と各区分ポケット２０のスイッチ４３による警告表示の解除指示とがあるものとする。
【００７８】
上記オペレートパネル２３による警告表示の解除指示では、全ての警告表示を解除（一括解除）することが可能である。例えば、複数の区分ポケット２０で同時に警告が表示されている場合、上記オペレートパネル２３により警告表示の一括解除を指示することにより全ての警告表示を解除することができる。また、上記スイッチ４３による警告表示の解除指示では、各区分ポケット２０の警告表示を個別に解除（個別解除）することが可能である。例えば、警告表示されているスイッチ４３を作業員が入力された場合、当該区分ポケット２０に対する警告表示のみが解除される。
【００７９】
すなわち、上記スイッチ４３による警告表示の解除が指示された場合、つまり、上記警告表示の個別解除が指示された場合（ステップＳ２４、ポケットスイッチ）、上記搬送・区分制御部５５は、警告表示の個別解除処理を行う（ステップＳ２５）。この個別解除処理では、当該区分ポケット２０で発生している不具合が解消（例えば、区分ゲート３３に突き刺さって止まっている紙葉類の抜取）したものと判断され、当該区分ポケット２０に対する警告表示が解除される。これにより、当該区分ポケット２０のスイッチ４３内のＬＥＤ４３ａが消灯される。
【００８０】
さらに、上記スイッチ４３内のＬＥＤ４３ａを消灯させた場合、上記搬送・区分制御部５５は、上記スイッチ禁止／許可情報エリア７７ｃにより当該スイッチ４３を紙札発行スイッチとして機能させるように設定を変更する。例えば、図９に示すような構成のスイッチ禁止／許可情報エリア７７ｃに対しては、当該区分ポケット２０に対応するビットの値を“１”から“０”に変更する。これにより、上記スイッチ４３は、ＬＥＤ４３ａが点滅から消灯に変化した際に、警告表示解除スイッチから紙札発行スイッチに変更される。
【００８１】
さらに、上記のような個別解除処理を実施した場合、上記搬送・区分制御部５５は、上記排除要因集計エリア７７ｂに累積されている当該区分ポケットに対応する排除要因別のカウント値をクリアする（ステップＳ２７）。ここでは、警告を表示した区分ポケットに対応する全ての排除要因のカウント値をクリアするようにしても良いし、警告を表示した排除要因（基準値を超えた排除要因）のカウント値のみをクリアするようにしても良い。
【００８２】
また、上記オペレートパネル２３による警告表示の一括解除が指示された場合、つまり、上記警告表示の一括解除が指示された場合（ステップＳ２４、オペパネ一括）、上記搬送・区分制御部５５は、上記警告表示の全解除処理を行う（ステップＳ２６）。この全解除処理では、全ての不具合が解消されたか否かは不明ではあるが作業員が意図的に行ったものであると判断され、全ての警告表示を解除される。これにより、全てのスイッチ４３内のＬＥＤ４３ａが消灯される。
【００８３】
さらに、全てのスイッチ４３内の上記ＬＥＤ４３ａを消灯させた際、上記搬送・区分制御部５５は、上記スイッチ禁止／許可情報エリア７７ｃにより全てのスイッチ４３を紙札発行スイッチとして機能させるように設定を変更する。例えば、図９に示すような構成のスイッチ禁止／許可情報エリア７７ｃに対しては、全ての区分ポケット２０に対応するビットの値を“０”に変更する。これにより、全てのスイッチ４３は、ＬＥＤ４３ａが消灯した際に、警告表示解除スイッチから紙札発行スイッチに変更される。
【００８４】
さらに、上記のような全解除処理を実施した場合、上記搬送・区分制御部５５は、上記排除要因集計エリア７７ｂに累積されている警告を表示した各区分ポケットに対応する排除要因別のカウント値をクリアする（ステップＳ２７）。ここでは、警告を表示した各区分ポケットに対応する全ての排除要因のカウント値をクリアするようにしても良いし、警告を表示した排除要因（基準値を超えた排除要因）のカウント値のみをクリアするようにしても良い。
【００８５】
また、上記ステップＳ１７のネクストセンサチェック処理により当該紙葉類が次のシフトセンサ３４で検知されなかった場合（ステップＳ１８、なし）、上記搬送・区分制御部５５は、当該紙葉類が正常に集積されたものと判断する。当該紙葉類が正常に集積されたものと判断した場合、上記搬送・区分制御部５５は、当該紙葉類の集積結果を上記制御部５０へ通知する処理を行う（ステップＳ２８）。なお、満杯や振分ミスなどの要因により排除された紙葉類の集積結果については、上記リジェクトポケット２０ａに排除集積されたタイミングで当該紙葉類の排除要因を示す情報とともに上記制御部５０へ通知される。
【００８６】
また、上記制御部５０に正常集積した紙葉類の集積結果を通知した際、上記搬送・区分制御部５５は、当該紙葉類を正常集積した当該区分ポケット２０に対応する排除要因集計エリア７７ｂの各エリアの累積カウント値をクリアする（ステップＳ２９）。
【００８７】
次に、上記搬送・区分制御部５５は、上記スイッチ禁止／許可情報エリア７７ｃの当該区分ポケットに対応する情報に基づいて、当該区分ポケット２０の警告表示が行われているか否かを判断する（ステップＳ３０）。例えば、図９に示すような上記スイッチ禁止／許可情報エリア７７ｃに対しては、当該区分ポケットに対応するフラグが“１”である場合には警告表示中であると判断し、当該フラグが“０”である場合には警告表示中でないと判断する。
【００８８】
上記判断により当該区分ポケット２０の警告表示中でないと判断した場合（ステップＳ３０、表示なし）、上記搬送・区分制御部５５は、当該紙葉類の対する処理を終了する。また、上記判断により当該区分ポケット２０が警告表示中であると判断した場合（ステップＳ３０、表示中）、上記搬送・区分制御部５５は、当該区分ポケット２０に発生した不具合が何らかの要因で解消したたものと判断し、自動的に当該区分ポケット２０の警告表示を解除する警告表示個別自動解除処理を行う（ステップＳ３１）。この警告表示個別自動解除処理は、正常集積が可能となった区分ポケットのみを対象とする処理である。
【００８９】
例えば、区分ゲート３３に紙葉類が突き刺さって振分ミスが発生していた場合、後続の紙葉類が当たって区分ゲート３３に詰まっていた紙葉類が取り除かれることがある。このような場合には当該区分ポケット２０の不具合が解消したにも係らず、警告が表示されたままとなる。また、作業員が区分ゲート３３に詰まっていた紙葉類を取り除いても上記スイッチ４３あるいは上記オペレートパネル２３による警告表示の解除指示を行わなかった場合、当該区分ポケット２０の不具合が解消したのにも係らず、警告が表示されたままとなる。
【００９０】
すなわち、上記警告表示個別自動解除処理は、警告表示している区分ポケットの不具合が警告解除の指示がないまま解消した場合に実行されるものである。上記警告表示個別自動解除処理では、上記オペレートパネル２３及び上記情報表示器２２に表示している当該区分ポケット２０の警告表示を解除するとともに、当該区分ポケット２０のスイッチ４３内のＬＥＤ４３ａを消灯する。さらに、警告表示中は上記スイッチ禁止／許可情報エリア７７ｃの当該区分ポケット２０の上記スイッチ４３が警告解除スイッチに設定されているため、上記警告表示個別自動解除処理では、上記スイッチ禁止／許可情報エリア７７ｃにより上記スイッチ４３を紙札発行スイッチに設定する。つまり、図９に示すような上記スイッチ禁止／許可情報エリア７７ｃに対しては、当該区分ポケットに対応するフラグを“０”に変更する。
【００９１】
次に、警告表示の具体例について説明する。
図１４〜図１７は、区分ポケットＡ０３の表示部２１及び上記オペレートパネル２３及び情報表示器２２の表示例を示す図である。図１４は、区分ポケットＡ０３が初期状態である場合（区分ポケットＡ０３に不具合が発生していない場合）の表示例を示す図である。図１５は、区分ポケットＡ０３で排除された紙葉類の数が基準値を超えた場合（区分ポケットＡ０３に不具合が発生した場合）の表示例を示す図である。図１６は、警告表示している状態で区分ポケットＡ０３のスイッチ４３を入力した場合の状態を示す図である。また、図１７は、警告が表示されていない状態で区分ポケットＡ０３のスイッチ４３を入力した場合の状態を示す図である。
【００９２】
まず、図１４に示すように、区分ポケットＡ０３が初期状態である場合、区分ポケットＡ０３に対応する表示部２１のスイッチ４３内のＬＥＤ４３ａが消灯しており、上記オペレートパネル２３にも警告が表示されていない。
【００９３】
次に、例えば、デフォルト値格納エリア７７ａに記憶されている振分ミスの数（基準値）としての“１０”に対して排除要因集計エリア７７ｂの区分ポケットＡ０３の振分ミスのカウンタ値が“１０”となった場合、図１５に示すような表示が行われる。この場合、図１５に示すように、オペレートパネル２３および情報表示器２２には、区分ポケットＡ０３で振分ミスが発生していることを示す警告が表示される。同時に、区分ポケットＡ０３の表示部２１には、上記スイッチ４３内のＬＥＤ４３ａを点滅させて警告を表示する。
【００９４】
次に、図１５に示すような警告表示されている状態で作業員が区分ポケットＡ０３の排除要因を解消してスイッチ４３を入力した場合、図１６に示すように、区分ポケットＡ０３のスイッチ４３内のＬＥＤ４３ａ、オペレートパネル２３及び情報表示器２２での警告表示が解除される。この際、排除要因集計エリア７７ｂに累積していた区分ポケットＡ０３のカウンタ値のみをクリアし、上記スイッチ禁止／許可情報エリア７７ｃの区分ポケットＡ０３に対応するビットをクリアする（“０”とする）。
【００９５】
図１６に示す状態で区分ポケットＡ０３のスイッチ４３は紙札発行スイッチに設定されるため、区分ポケットＡ０３は、通常状態に戻っている。この状態（スイッチ禁止／許可情報エリア７７ｃの区分ポケットＡ０３に対応するビットが“０”）で区分ポケットＡ０３のスイッチ４３が入力された場合、上記スイッチ４３は、紙札発行スイッチとして機能し、近くにある紙札発行器（図示しない）から区分ポケットＡ０３の紙札が発行される。
【００９６】
上記のように、本実施の形態によれば、オンライン中に排除要因をチェックすることにより、区分ゲートへの紙葉類の突き刺さりなどの不具合が発生している区分ポケットを特定することができる。このため、作業者がリジェクトポケットに集積されている紙葉類をチェックする必要がなくなり、作業性が向上する。
【００９７】
また、区分ゲートへの紙葉類の突き刺さり現象などの不具合が発生している区分ポケットを特定して警告表示することにより、作業者がリジェクトポケットに集積されている紙葉類をチェックする必要がなく、不具合が発生している場所（区分ポケット）を迅速かつ簡単に特定できる。さらには、リジェクトポケットに集積される紙葉類の量を軽減することができ、作業効率が良くすることができる。
【００９８】
また、警告表示していた区分ポケットの不具合が解消した場合、紙葉類が正常集積された時点で警告表示を自動的に解除することにより、作業者による警告表示の解除確認操作が不要となり、作業性が向上する。
【００９９】
【発明の効果】
以上詳述したように、この発明によれば、区分機における区分処理の効率を向上させ、作業員の作業負荷を軽減することができる区分機及び区分機の制御方法を提供できる。
【図面の簡単な説明】
【図１】この発明の実施の形態に係る紙葉類区分装置の概略構成を示す図。
【図２】区分ポケットとその周辺の構成を示す側面図。
【図３】区分ポケットとその周辺の構成を示す上面図。
【図４】区分ポケットの表示部の構成を示す図。
【図５】紙葉類区分装置の制御系の構成例を示すブロック図。
【図６】デフォルト値格納エリアの構成例を示す図。
【図７】排除要因集計エリアの構成例を示す図。
【図８】図７の排除要因集計エリアにおける各区分ポケットに対応する記憶エリアの構成例を示す図。
【図９】スイッチ禁止／許可情報エリアの構成例を示す図。
【図１０】シフト情報データ格納エリアの構成例を示す図。
【図１１】紙葉類区分装置における各区分ポケットでの動作例を説明するためのフローチャート。
【図１２】紙葉類が区分ゲートに突き刺さった状態の区分ポケットとその周辺の様子を示す上面図。
【図１３】紙葉類が区分ゲートに突き刺さった状態の区分ポケットとその周辺の様子を示す側面図。
【図１４】表示部、オペレートパネル及び情報表示器の表示例を示す図。
【図１５】表示部、オペレートパネル及び情報表示器の表示例を示す図。
【図１６】表示部、オペレートパネル及び情報表示器の表示例を示す図。
【図１７】表示部、オペレートパネル及び情報表示器の表示例を示す図。
【符号の説明】
１…フロント部、２…下搬送部、３…追加モジュール部、４…段パス部、５…区分部、２０…区分ポケット、２１…表示部、２２…情報表示部、２３…オペレートパネル、３０…搬送路、３３…区分ゲート、３４…シフトセンサ、４３…スイッチ、４３ａ…ＬＥＤ、５０…制御部、５５…搬送・区分制御部、５６…パネル制御部、７３…ゲート駆動回路、７４…スイッチ制御回路、７５…ランプ制御部、７７…メモリ、７７ａ…デフォルト値格納エリア、７７ｂ…排除要因集計エリア、７７ｃ…スイッチ禁止／許可情報エリア、７７ｄ…シフト情報データ格納エリア
【図１】
2005007316.tif 000003
【図２】
2005007316.tif 000004
【図３】
2005007316.tif 000005
【図４】
2005007316.tif 000006
【図５】
2005007316.tif 000007
【図６】
2005007316.tif 000008
【図７】
2005007316.tif 000009
【図８】
2005007316.tif 000010
【図９】
2005007316.tif 000011
【図１０】
2005007316.tif 000012
【図１１】
2005007316.tif 000013
【図１２】
2005007316.tif 000014
【図１３】
2005007316.tif 000015
【図１４】
2005007316.tif 000016
【図１５】
2005007316.tif 000017
【図１６】
2005007316.tif 000018
【図１７】
2005007316.tif 000019